(57)【要約】      （修正有）【課題】長年の使用においても、ポケット部が剥離することなく、長期に亘って使用可能な強度を有する冊子カバーを提供する。【解決手段】冊子の表紙、裏表紙及び背表紙を外方から被覆するシート状のカバー本体部１１と、該カバー本体部の内側面部に設けられ、上記冊子の表紙及び裏表紙を挿入しうるシート部材からなる一対のポケット部１３，１３とを備える冊子カバーであって、上記一対のポケット部は、夫々のポケット部の開口部の幅方向両端部において連設部１７を介して連設した構成とする。【選択図】図１
0003160587.tif 000002
【実用新案登録請求の範囲】
【請求項１】
冊子の表紙、裏表紙及び背表紙を外方から被覆するシート状のカバー本体部と、上記カバー本体部の内側面部に設けられ、上記冊子の表紙及び裏表紙を挿入しうるシート部材からなる一対のポケット部とを備える冊子カバーであって、
上記一対のポケット部は、夫々のポケット部の開口部の幅方向両端部において連設部を介して連設していることを特徴とする冊子カバー。
【請求項２】
上記カバー本体部は長方形に形成され、
上記一対ポケット部は、夫々上記カバー本体部の幅方向と同一の幅寸法に形成されると共に、上記カバー本体部の長さ方向半部を被覆しうる大きさに形成され、
上記ポケット部の一対の開口部は、上記カバー本体部の長さ方向中央部において、所定間隔寸法離間して配置され、
上記ポケット部と上記連設部は、上記カバー本体部の周縁部に沿って上記カバー本体部に固定されていることを特徴とする請求項１記載の冊子カバー。
【請求項３】
上記ポケット部と上記連設部は、上記カバー本体部の周縁部に沿って上記カバー本体部に熱溶着によって接合されると共に、熱溶着線の内周に沿って逢着されることにより、上記カバー本体部に固定されていることを特徴とする請求項２記載の冊子カバー。
【請求項４】
上記ポケット部には、開口部端縁から上記カバー本体部の長さ方向に沿ってスリット部が形成されていることを特徴とする請求項２または３記載の冊子カバー。
【考案の詳細な説明】
【技術分野】
【０００１】
本考案は本、手帳、日記帳等の冊子に装着するための、冊子カバーに関する。
【背景技術】
【０００２】
本、手帳、若しくは日記帳等の冊子には、冊子本体部を保護する目的、他人から本のタイトル等を見えなくすることでプライバシーを保護する目的、若しくは装飾等の目的等で、別体のカバーを装着することが多い。
【０００３】
図３に示すように、従来の冊子カバー３０は、全体長方形に形成された合成樹脂製のシート状のカバー本体部３１と、上記カバー本体部３１の内側面部３２において、上記カバー本体部３１を長さ方向中央部３５で二つ折にした場合の半部３２ａ、３２ｂの略全域を被覆する半透明の合成樹脂のシート部材３７で形成されたポケット部３３、３３とを備えている。
また、上記ポケット部３３、３３の開口部３４、３４は、上記カバー本体部３１の幅方向に沿って開口すると共に、上記カバー本体部３１の長さ方向略中央部３５において、所定間隔寸法離間して対向して配置されている。
また、上記ポケット部３３、３３と上記カバー本体部３１とは、上記カバー本体部３１の周縁部において熱溶着等の手段によって接合されている。
【０００４】
上記冊子カバー３０を本等の冊子（図３には図示せず）に装着する場合は、冊子の表紙及び裏表紙を夫々上記ポケット部３３、３３の開口部３４、３４から挿入し、冊子の背表紙をカバー本体部３１の長さ方向中央部３５にあてがい、上記カバー本体部３１を長さ方向中央部３５で二つ折りにして冊子に密着させる。
【０００５】
上記冊子カバー３０を装着することによって、冊子の表紙及び裏表紙を保護すると共に、冊子のタイトル等を外部から遮蔽し、他人に冊子のタイトル等を認知されないようにできるため、読者のプライバシーを保護することができる。
【０００６】
しかしながら、従来の冊子カバー３０にあっては、複数の冊子に繰り返し装着することから、装着操作の度に上記ポケット部３３、３３の開口部３４、３４が繰り返し拡げられ、上記開口部３４の幅方向端部３６、３６、３６、３６には、都度上記ポケット部３３のシート部材３７，３７を上記カバー本体部３１から剥離させる方向の負荷がかかる。
従って、経年使用によって、上記ポケット部３３が開口部３４の幅方向端部３６、３６、３６、３６において、上記カバー本体部３１から剥離してしまい、冊子カバーとしての機能が損なわれてしまうという不具合を有していた。
【考案の開示】
【考案が解決しようとする課題】
【０００７】
本考案の解決する課題は、長年の使用においても、ポケット部が剥離することなく、長期に亘って使用可能な強度を有する冊子カバーを提供することにある。
【課題を解決するための手段】
【０００８】
上記課題を解決するために、請求項１に記載した考案に係る冊子カバーは、冊子の表紙、裏表紙及び背表紙を外方から被覆するシート状のカバー本体部と、上記カバー本体部の内側面部に設けられ、上記冊子の表紙及び裏表紙を挿入しうるシート部材からなる一対のポケット部とを備える冊子カバーであって、上記一対のポケット部は、夫々のポケット部の開口部の幅方向両端部において連設部を介して連設していることを特徴とする。
【０００９】
従って、冊子の表紙及び裏表紙を上記ポケット部に挿入する際に、上記ポケット部の開口部が拡げられた場合であっても、上記開口部の幅方向両端部に生じる、上記ポケット部を上記カバー本体部から剥離させる方向の負荷は、上記ポケット部の端縁部から連設部に伝達されて上記連設部全体に分散する。
【００１０】
また、請求項２に記載した考案に係る冊子カバーは、上記カバー本体部は長方形に形成され、上記一対ポケット部は、夫々上記カバー本体部の幅方向と同一の幅寸法に形成されると共に、上記カバー本体部の長さ方向半部を被覆しうる大きさに形成され、上記ポケット部の一対の開口部は、上記カバー本体部の長さ方向中央部において長さ方向に所定間隔寸法離間して配置され、上記ポケット部と上記連設部は、上記カバー本体部の周縁部に沿って上記カバー本体部に固定されていることを特徴とする。
【００１１】
従って、冊子の表紙及び裏表紙を上記ポケット部に挿入する際に、上記ポケット部の開口部が拡げられた場合であっても、上記開口部の幅方向両端部に生じる、上記ポケット部を上記カバー本体部から剥離させる方向の負荷は、上記ポケット部の幅方向端縁部から上記ポケット部に連設する連設部に伝達され、上記連設部に分散する。
【００１２】
また、請求項３に記載した考案に係る冊子カバーは、上記ポケット部と上記連設部は、上記カバー本体部の周縁部に沿って熱溶着によって接合され、更に熱溶着線に沿って逢着されることにより、上記カバー本体部に固定されていることを特徴とする。
従って、上記カバー本体部と上記ポケット部は、熱溶着と逢着の両手段によって上記カバー本体部に強固に固定される。
【００１３】
また、請求項４に記載した考案に係る冊子カバーは、上記ポケット部には、開口部端縁から上記カバー本体部の長さ方向に沿ってスリット部が形成されていることを特徴とする。
従って、冊子の表紙及び裏表紙を上記ポケット部に挿入する場合に、上記スリット部を拡げて挿入することによって、上記ポケット部が大きく開口するため、上記開口部の幅方向両端部に生じる、上記ポケット部のシート部材を上記カバー本体部から剥離させる方向の負荷が小さくなる。
【考案の効果】
【００１４】
請求項１および請求項２の考案にあっては、一対のポケット部がカバー本体部の両端部において連接部を介して連接していることから、上記冊子カバーの着脱を繰り返す過程で、上記ポケット部の開口部が繰り返し拡げられた場合であっても、上記開口部の両端部に生じる、上記ポケット部のシート部材を上記カバー本体部から剥離させる方向の負荷が、上記ポケット部の幅方向両端部から連設部に伝達されて分散されるため、長年の使用においても、ポケット部が剥離することなく、長期に亘って使用可能な強度を有する冊子カバーを提供することができる。
【００１５】
また、請求項３の考案にあっては、上記ポケット部と上記連設部は、上記カバー本体部の周縁部に沿って熱溶着によって接合され、更に熱溶着線に沿って逢着されることにより、上記カバー本体部に固定されていることから、請求項１および請求項２の効果に加え、ポケット部がカバー本体部からより剥離し難く、より長期間に亘って使用可能な冊子カバーを提供することができる。
【００１６】
また、請求項４の考案にあっては、上記ポケット部には、開口部端縁から上記カバー本体部の長さ方向に沿ってスリット部が形成されていることから、スリット部が拡がることによって、冊子の表紙もしくは裏表紙を上記ポケット部に挿入する操作が行いやすく、かつ、スリット部が開くことによってポケット部の幅方向端部に負荷をかけずに開口部を拡開させることができるため、ポケット部の耐久性がより向上する。
【図面の簡単な説明】
【００１７】
【図１】本考案の一実施の形態を示し、実施例の形態における冊子カバーの内側面部を示す平面図である。
【図２】本考案の一実施の形態を示し、実施例の形態における冊子カバーを本に装着した状態を示す斜視図である。
【図３】従来の冊子カバーを示す平面図である。
【考案を実施するための最良の形態】
【００１８】
本考案を実施するための形態について、添付図面を用いて以下説明する。
図１に示すように、本実施例に係る冊子カバー１０は、冊子２２（図１には図示せず）体の表紙２３、裏表紙２４及び背表紙２５を外方から被覆する、長方形に形成された合成樹脂製のシート状のカバー本体部１１と、上記カバー本体部１１の内側面部１２に設けられ、上記冊子２２の表紙２３及び裏表紙２４を挿入しうる半透明の合成樹脂製シート部材１４から形成された一対のポケット部１３、１３とを備えている。
また、上記一対のポケット部１３、１３は、それぞれ上記カバー本体部１１の幅方向と同一の幅寸法に形成されると共に、上記カバー本体部１１の長さ方向半部１２ａ、１２ｂを被覆しうる大きさに形成されている。
また、上記ポケット部１３、１３の一対の開口部１５、１５は、上記カバー本体部１１の長さ方向略中央部において所定間隔寸法離間して配置されている。
また、上記ポケット部１３、１３は上記ポケット部１３、１３の開口部１５、１５の幅方向両端部１６ａ、１６ｂにおいて連設部１７、１７を介して連設されている。
また、上記ポケット部１３と上記連設部１７は、上記カバー本体部１１の周縁部に沿って溶着により上記カバー本体部１１に固定されると共に、さらに溶着線に沿って逢着によって上記カバー本体部１１に固定されている。
また、上記ポケット部１３、１３には、開口部１５、１５の縁部１９、１９から上記カバー本体部１１の長さ方向に沿ってスリット部１８、１８が形成されている。
【実施例１】
【００１９】
本実施例の構成について、以下図面を用いて説明する。
図１は、本実施例の冊子カバー１０の内側面部の形態を示す平面図である。
図１に示すように、ポケット部１３、１３は、カバー本体部１１の長さ方向半部１２ａ、１２ｂにそれぞれ配置され、上記ポケット部１３、１３の開口部１５、１５は上記カバー本体部１１の長さ方向略中央部２７において、所定寸法離間して対向して配置されている。
上記離間寸法は、上記冊子カバー１０を装着する冊子の厚さ寸法に合わせて適宜変更される。
【００２０】
また、スリット部１８、１８は、上記ポケット部１３、１３の幅方向略中央部２７に形成され、上記スリット部１８、１８と上記ポケット部１３、１３の開口縁部１９、１９との間には、指を掛け易くする目的で、円弧状のアール部２０、２０が形成されている。
【００２１】
また、上記ポケット部１３、１３の開口部の幅方向両端部１６ａ、１６ａ、１６ｂ、１６ｂには、それぞれ上記カバー本体部１１の長さ方向に沿って切込み部２１、２１、２１、２１が形成されている。
【００２２】
また、上記連設部１７、１７は上記カバー本体部１１の長さ方向に沿って配置され、それぞれ一対のポケット部１３、１３の開口部１５、１５の幅方向両端部１６ａと１６ａ、および１６ｂと１６ｂとをそれぞれ連設している。
また、一方のポケット部１３には、しおり等を差込可能なスリット開口部２６が設けられている。
【００２３】
また、図２は、本実施例に係る冊子カバー１０を冊子２２に装着した状態を示す斜視図である。
図２に示すように、本実施例に係る冊子カバー１０は、冊子２２の表紙２３および裏表紙２４を、図１に示す上記ポケット部１３、１３のスリット部１８、１８を拡げて挿入し、図２に示すように、上記冊子の背表紙２５を上記カバー本体部１１の長さ方向略中央部２７に当接させ、上記カバー本体部１１を長さ方向に二つ折りにすることによって冊子２２に装着される。
【００２４】
本実施例の作用について、以下説明する。
本実施例に係る冊子カバー１０は、装着先の冊子２２を読み終えると外されて、繰り返し別の冊子に装着される。
この際、図２に示すように、冊子２２の表紙２３、裏表紙２４を挿入する操作において、図１に示すように、上記ポケット部１３、１３が繰り返し拡げられても、上記スリット部１８、１８が拡がることによって、上記ポケット部１３、１３の開口部１５，１５の幅方向両端部１６ａ、１６ｂにかかる負荷が軽減されると共に、上記開口部の幅方向両端部１６ａ、１６ｂにかかった負荷についても、上記連設部１７、１７に伝達されることで更に上記連設部１７，１７に分散されることから、上記開口部１５，１５の幅方向両端部１６ａ、１６ｂにかかる負荷がより小さくなり、上記カバー本体部１１から剥離され難くなる。
また、図１に示すように、上記ポケット部１３、１３と上記連設部１７，１７は、上記カバー本体部１１と溶着、及び逢着の両手段によって固定されているため、更に上記開口部の幅方向両端部１６ａ、１６ｂと上記連設部１７，１７は、上記カバー本体部１１から剥離し難くなる。
【００２５】
また、本実施例の形態の冊子カバー１０は、カバー本体部１１の内側面部１２に、上記カバー本体部１１と略同一の大きさ寸法に裁断したシート部材１４を重ね合わせ、上記カバー本体部１１の周縁部において上記シート部材１４と上記カバー本体部１１と溶着および逢着手段によって接合し、更に上記カバー本体部１１の長さ方向略中央部２７において、上記シート部材１４を、連設部１７、１７を残した状態で、所定幅寸法に亘って切り取って取り除くことによってポケット部１３，１３を形成することによって製造することが可能である。
従って、従来の冊子カバーのように、一対のポケット部が独立して配設される場合と比較して、溶着及び逢着工程が一度の工程で完了することから、製造工程の短縮化、及び製造コストの低減化をも実現することが可能である。
【００２６】
なお、カバー本体部の大きさ寸法については、装着対象の冊子の種類に合わせて適宜変更することが可能である。
また、カバー本体部および、ポケット部のシート部材の素材についても、自在に変形が可能であり、且つ折り目がつき難い素材であれば、自由に選択することが可能である。
【産業上の利用可能性】
【００２７】
本考案は本、手帳、日記帳等冊子に装着するための、冊子カバーに適用可能である。
【符号の説明】
【００２８】
１０  冊子カバー
１１  カバー本体部
１２  カバー本体部の内側面部
１２ａ内側面部の長さ方向半部
１２ｂ内側面部の長さ方向半部
１３  ポケット部
１４  ポケット部、
１５  ポケット部の開口部
１６ａポケットの開口部の幅方向端部
１６ｂポケットの開口部の幅方向端部
１７  連設部
１８  スリット部
１９  ポケットの開口縁部
２０  アール部
２１  切込み部
２２  冊子
２３  冊子表紙
２４  冊子裏表紙
２５  冊子背表紙
２６  スリット開口部
２７  カバー部材の長さ方向中央部
３０  冊子カバー
３１  カバー本体部
３２  内側面部
３２ａ内側面部の長さ方向半部
３２ｂ内側面部の長さ方向半部
３３  ポケット部
３４  ポケット部の開口部
３５  カバー部材の長さ方向中央部
３６  ポケット部の幅方向端部
３７  ポケット部のシート部材  
【図１】
0003160587.tif 000003
【図２】
0003160587.tif 000004
【図３】
0003160587.tif 000005
【手続補正書】
【提出日】平成22年4月15日(2010.4.15)
【手続補正１】
【補正対象書類名】実用新案登録請求の範囲
【補正対象項目名】全文
【補正方法】変更
【補正の内容】
【実用新案登録請求の範囲】
【請求項１】
冊子の表紙、裏表紙及び背表紙を外方から被覆するシート状のカバー本体部と、上記カバー本体部の内側面部に設けられ、上記冊子の表紙及び裏表紙を挿入しうるシート部材からなる一対のポケット部とを備える冊子カバーであって、
上記一対のポケット部は、夫々のポケット部の開口部の幅方向両端部において連設部を介して連設していることを特徴とする冊子カバー。
【請求項２】
上記カバー本体部は長方形に形成され、
上記一対のポケット部は、夫々上記カバー本体部の幅方向と同一の幅寸法に形成されると共に、上記カバー本体部の長さ方向半部を被覆しうる大きさに形成され、
上記ポケット部の一対の開口部は、上記カバー本体部の長さ方向中央部において、所定間隔寸法離間して配置され、
上記ポケット部と上記連設部は、上記カバー本体部の周縁部に沿って上記カバー本体部に固定されていることを特徴とする請求項１記載の冊子カバー。
【請求項３】
上記ポケット部と上記連設部は、上記カバー本体部の周縁部に沿って上記カバー本体部に熱溶着によって接合されると共に、熱溶着線の内周に沿って逢着されることにより、上記カバー本体部に固定されていることを特徴とする請求項２記載の冊子カバー。
【請求項４】
上記ポケット部には、開口部端縁から上記カバー本体部の長さ方向に沿ってスリット部が形成されていることを特徴とする請求項２または３記載の冊子カバー。
【手続補正２】
【補正対象書類名】明細書
【補正対象項目名】００１０
【補正方法】変更
【補正の内容】
【００１０】
また、請求項２に記載した考案に係る冊子カバーは、上記カバー本体部は長方形に形成され、上記一対のポケット部は、夫々上記カバー本体部の幅方向と同一の幅寸法に形成されると共に、上記カバー本体部の長さ方向半部を被覆しうる大きさに形成され、上記ポケット部の一対の開口部は、上記カバー本体部の長さ方向中央部において長さ方向に所定間隔寸法離間して配置され、上記ポケット部と上記連設部は、上記カバー本体部の周縁部に沿って上記カバー本体部に固定されていることを特徴とする。